(57)【特許請求の範囲】
【請求項１】
所定のフレームシーケンスに従って予め選択された視聴コンテンツの送信に適したパケット化伝送ストリームを記憶する記憶システムであって、前記パケット化伝送ストリームは、
単一形式の種類を有する複数のコンテンツフレームを備え、
前記コンテンツフレームのそれぞれが、
暗号化された伝送フレームペイロードであって、前記予め選択された視聴コンテンツを含む前記伝送フレームペイロードと、
暗号化されていない伝送フレームヘッダであって、選択されたコンテンツフレームの前記伝送フレームペイロードを解読することなく前記選択されたコンテンツフレームを抽出することを可能にする前記伝送フレームヘッダと、を含んでおり、
当該伝送フレームヘッダが、前記伝送フレームペイロードが暗号化されたどうかを示すパケット識別子フィールドと、
前記伝送フレームペイロードがパケット化エレメンタリストリームヘッダを持つかどうかを示すペイロードユニット開始インジケータフィールドと、および
前記選択されたコンテンツフレームがＩ−フレームを備えるかどうかを示し、そして前記コンテンツフレームの前記伝送フレームペイロードを復号することなく所定のフレームシーケンス内の前記コンテンツフレームの中のＩ−フレームに対するサーチを可能とすることによりパケット化伝送ストリーム内の滑らかなジャンプ動作をサポートする転送プライオリティフィールドと、を含んでおり、
前記予め選択された視聴コンテンツが、当該伝送フレームヘッダには含まれておらず、
前記伝送フレームペイロードが、当該伝送フレームヘッダに続いており、それぞれのコンテンツフレームの残りを備えている、パケット化伝送ストリームであって、
前記予め選択された視聴コンテンツが、当該予め選択された視聴コンテンツの表示を損なうことなく不正アクセスから保護されるように、前記パケット化伝送ストリームにおける前記予め選択された視聴コンテンツの全ては、伝送中の暗号化されたフォーマットの中に残っているパケット化伝送ストリームを記憶する記憶システム。
【請求項２】
前記パケット化伝送ストリームが、Ｍｏｖｉｎｇ  Ｐｉｃｔｕｒｅ  Ｅｘｐｅｒｔｓ  Ｇｒｏｕｐ伝送ストリームを備える、請求項１のパケット化伝送ストリームを記憶する記憶システム。
【請求項３】
前記Ｉ−フレームが、イントラ符号化された画像フレームを備える、請求項２のパケット化伝送ストリームを記憶する記憶システム。
【請求項４】
前記伝送フレームペイロードが、１つ以上のコンテンツフィールドを備える、請求項１のパケット化伝送ストリームを記憶する記憶システム。
【請求項５】
前記コンテンツフィールドの少なくとも１つが、映像コンテンツを記憶するための映像コンテンツフィールドであり、音声コンテンツを記憶するための音声コンテンツフィールドであり、クローズド−キャプション方式のコンテンツを記憶するクローズド−キャプションフィールドである、請求項４のパケット化伝送ストリームを記憶する記憶システム。
【請求項６】
前記伝送フレームヘッダが、前記パケット識別子フィールドと、前記ペイロードユニット開始インジケータフィールドと、転送プライオリティフィールドと、により構成される、請求項１のパケット化伝送ストリームを記憶する記憶システム。
【請求項７】
前記コンテンツフィールドが、映像コンテンツを記憶するための映像コンテンツフィールドと音声コンテンツを記憶するための少なくとも１つの音声コンテンツフィールドとを含み、前記映像コンテンツが前記音声コンテンツに同期される、請求項４のパケット化伝送ストリームを記憶する記憶システム。
【請求項８】
各前記コンテンツフレームがパケット化エレメンタリストリームフレームを備え、各前記コンテンツフレームの前記伝送フレームペイロードがパケット化エレメンタリストリームヘッダを含む、請求項１のパケット化伝送ストリームを記憶する記憶システム。
【請求項９】
前記伝送フレームペイロードが、秘密キー暗号化技術、暗号ブロック連鎖モード技術、および固有の暗号化技術から成る群から選択された暗号化技術に従い暗号化される、請求項１のパケット化伝送ストリームを記憶する記憶システム。
【請求項１０】
前記パケット化伝送ストリームが、ユニーク暗号キーと関連付けられる、請求項９のパケット化伝送ストリームを記憶する記憶システム。
【請求項１１】
前記コンテンツフレームのそれぞれが、個々に解読される、請求項９のパケット化伝送ストリームを記憶する記憶システム。
【請求項１２】
前記コンテンツフレームの少なくとも１つが、パケットタイミング情報を提供するための適合フィールドを含む、請求項１のパケット化伝送ストリームを記憶する記憶システム。
【請求項１３】
不正アクセスからの保護が望ましい、所定のフレームシーケンスに従って表示するのに適した予め選択された視聴コンテンツを、パケット化伝送ストリームに変換するコンテンツ変換システムは、
視聴コンテンツを受信し、単一の形式の種類を有する複数のコンテンツフレームを提供するための処理システムを備え、
前記コンテンツフレームのそれぞれが、
暗号化された伝送フレームペイロードであって、前記予め選択された視聴コンテンツを含む前記伝送フレームペイロードと、
暗号化されていない伝送フレームヘッダであって、選択されたコンテンツフレームの前記伝送フレームペイロードを解読することなく前記選択されたコンテンツフレームを抽出することを可能にする前記伝送フレームヘッダと、を含んでおり、
当該伝送フレームヘッダは、前記伝送フレームペイロードが暗号化されたどうかを示すパケット識別子フィールドと、
前記伝送フレームペイロードがパケット化エレメンタリストリームヘッダを持つかどうかを示すペイロードユニット開始インジケータフィールドと、および
前記選択されたコンテンツフレームがＩ−フレームを備えるかどうかを示し、そして前記コンテンツフレームの前記伝送フレームペイロードを復号することなく所定のフレームシーケンス内の前記コンテンツフレームの中のＩ−フレームのサーチを可能とすることによりパケット化伝送ストリーム内の滑らかなジャンプ動作をサポートする転送プライオリティフィールドと、を含んでおり、
記予め選択された視聴コンテンツが、当該伝送フレームヘッダには含まれておらず、
前記伝送フレームペイロードが、当該伝送フレームヘッダに続いており、それぞれのコンテンツフレームの残りを備えている、コンテンツ変換システムであって、
前記予め選択された視聴コンテンツが、当該予め選択された視聴コンテンツの表示を損うことなく不正アクセスから保護されるように、前記パケット化伝送ストリームにおける前記予め選択された視聴コンテンツの全ては、伝送中の暗号化されたフォーマットの中に残っているコンテンツ変換システム。
【請求項１４】
前記処理システムが、コンテンツ受信システムを介して視聴コンテンツを受信する、請求項１３のコンテンツ変換システム。
【請求項１５】
前記コンテンツ受信システムが、視聴コンテンツを符号化し、符号化視聴コンテンツを前記処理システムに提供するための符号化システムを含む、請求項１４のコンテンツ変換システム。
【請求項１６】
前記コンテンツ受信システムが、視聴コンテンツを圧縮し、圧縮視聴コンテンツを前記処理システムに提供するための圧縮システムを含む、請求項１４のコンテンツ変換システム。
【請求項１７】
前記予め選択された視聴コンテンツの暗号化が維持されるように、前記複数のコンテンツフレームを記憶するための記憶システムをさらに備える、請求項１３のコンテンツ変換システム。
【請求項１８】
所定のフレームシーケンスに従い前記複数のコンテンツフレームを送信し、送信中に前記予め選択された視聴コンテンツの暗号化を維持するコンテンツ送信システムをさらに備える、請求項１３のコンテンツ変換システム。
【請求項１９】
前記コンテンツ送信システムが、前記処理システムから前記複数のコンテンツフレームを受信する、請求項１８のコンテンツ変換システム。
【請求項２０】
前記予め選択された視聴コンテンツの暗号化が維持されるように前記複数のコンテンツフレームを記憶するための記憶システムをさらに備え、前記コンテンツ送信システムが前記記憶システムから前記複数のコンテンツフレームを受信する、請求項１８のコンテンツ変換システム。
【請求項２１】
前記コンテンツ送信システムが、複数のエレメンタリストリームを多重化してパケット化伝送ストリームを形成する転送マルチプレクサシステムを備える、請求項１８のコンテンツ変換システム。
【請求項２２】
前記処理システムが、前記コンテンツフレームの前記伝送フレームヘッダからの前記転送プライオリティフィールドを適用して個々のジャンプ動作を実行し、前記個々のジャンプ動作に従い前記複数のコンテンツフレームを送信する、請求項１８のコンテンツ変換システム。
【請求項２３】
前記個々のジャンプ動作が、早送り動作、巻戻し動作、早巻戻し動作、およびサーチ動作から成る群から選択される、請求項２２のコンテンツ変換システム。
【請求項２４】
前記処理システムが、前記コンテンツフレームの前記伝送フレームヘッダからの前記転送プライオリティフィールドを適用して、選択された部分暗号化コンテンツフレームのサーチ動作を実行する、請求項２２のコンテンツ変換システム。
【請求項２５】
前記コンテンツ変換システムが、前記パケット化伝送ストリームを介して提供される視聴コンテンツを解読して表示するためのコンテンツ表示システムにパケット化伝送ストリームを提供する、請求項１８のコンテンツ変換システム。
【請求項２６】
前記コンテンツ変換システムが、前記コンテンツ表示システムに少なくとも部分的に組み込まれる、請求項２５のコンテンツ変換システム。
【請求項２７】
前記コンテンツ変換システムが、パケット化伝送ストリームを送信するためのコンテンツソースに関連付けられる、請求項１３のコンテンツ変換システム。
【請求項２８】
前記コンテンツ変換システムが、旅客車両上の設置に適する、請求項１３のコンテンツ変換システム。
【請求項２９】
前記コンテンツ変換システムが、航空機上に設置される、請求項１３のコンテンツ変換システム。
【発明の詳細な説明】
【技術分野】
【０００１】
本発明は、概してデータ暗号化、特に、限定的ではないが、旅客車両内に設置された車両情報システムを介して暗号化に続く復号化、および表示するための、視聴コンテンツの伝送ストリームの暗号化に関する。
【背景技術】
【０００２】
自動車や航空機などの旅客車両は、娯楽や旅行中のその他の情報コンテンツに対する乗客の要求を満たすために、乗客娯楽システムなどの車両情報システムを提供することが多い。
【０００３】
従来の車両情報システムは、視聴コンテンツを乗客に表示するコンテンツ表示システムを含む。これらの車両情報システムは通常、視聴コンテンツを記憶する１つ以上のメディアサーバ、ならびにオーバーヘッド機内ディスプレイシステムおよび／またはシートバックディスプレイシステムなどの映像表示システム、視聴コンテンツを提供するためのオーバーヘッドスピーカシステムおよび／または個々のヘッドフォンなどの音声提供システムを含む。視聴コンテンツは、様々なソースから得られる音声および映像コンテンツを含むことができる。映画や音楽などの予め記録された視聴コンテンツは、車両内に設置される音声および映像プレーヤなどの内部コンテンツソースから提供することができる。従来の車両情報システムは同様に、車両から離れた１つ以上のコンテンツプロバイダ（またはソース）から送信される生のテレビ番組などの視聴コンテンツを受信するアンテナシステムを含むことができる。
【発明の開示】
【発明が解決しようとする課題】
【０００４】
コンテンツプロバイダは、不正アクセスから視聴コンテンツを保護するために様々なセキュリティ技術を採用することが多い。視聴コンテンツがＭｏｖｉｎｇ  Ｐｉｃｔｕｒｅ  Ｅｘｐｅｒｔｓ  Ｇｒｏｕｐ（ＭＰＥＧ）伝送ストリーム映像コンテンツを含む場合、たとえば、コンテンツプロバイダは通常、視聴コンテンツを保護するために、従来のファイルベースの暗号化技術を使用する。しかし、このような暗号化技術は、多くの欠点を抱える。たとえば、コンテンツプロバイダは現在、視聴コンテンツをメディアサーバおよび／または車両情報システムと関連付けられる携帯メディアデバイスによって、常時暗号化フォーマットで記憶しておかなければならない。したがって、車両情報システムは、視聴コンテンツを表示可能とするために、暗号化視聴コンテンツに関して解読および／または復号化などの追加処理を行わなければならない。この追加処理は通常、視聴コンテンツの暗号ブロックサイズに制限を課す。
【０００５】
それにより、視聴コンテンツの表示は悪影響を受けている。早送り、巻戻し、およびサーチ動作中、たとえば、解読／復号化システムは、暗号化視聴コンテンツファイル内の未知の位置に進んでから、その位置で始まる暗号化視聴コンテンツの解読／復号化を始めなければならない。それにより、視聴コンテンツの視覚表示は激しく揺れたり、さもなければ中断したりする可能性がある。さらに、メディアのローディングやその他の準備プロセスの間でさえ視聴コンテンツの暗号化を必要とすることによって、コンテンツプロバイダは、早送りおよび巻戻し動作中に視聴コンテンツの滑らかな表示の確保を助けるようインデックスまたは関連付けられたファイルを作製するために、視聴コンテンツが予め走査されるのを防止する。
【０００６】
上記に鑑み、従来のファイルベースの暗号化技術の上述の障害および欠陥を克服する、視聴コンテンツなどのデータを暗号化するための改良システムが求められている。
【０００７】
なお、図面は一律の縮尺に従わずに描かれており、図全体を通じて図示のため、構造および機能の類似する構成要素には通常同一の参照符号が付されている。また、図面は単に本発明の好適な実施形態の説明を簡易化することを目的としている。図面は本発明のあらゆる側面を示しているのではなく、本発明の範囲を限定しない。
【発明を実施するための最良の形態】
【０００８】
現在利用可能な暗号化技術は、視聴コンテンツに特定の暗号ブロックサイズ限定を課しており、暗号化視聴コンテンツの表示を損なうものであるため、保護された視聴コンテンツの滑らかな表示を可能にしつつ視聴コンテンツを保護する視聴コンテンツ変換システムが、望ましいことは立証されており、また、それは自動車、航空機、およびその他の種類の旅客車両に設置される車両情報システムなどの幅広いデータ暗号化の用途の基盤を提供することができる。この結果は、入ってくる視聴コンテンツ２００を、図１に示されるように不正アクセスから少なくとも部分的に保護される変換視聴コンテンツ３００に変換するための視聴コンテンツ変換システム１００によって、本明細書に開示される一実施形態に従い達成することができる。
【０００９】
図１を参照すると、コンテンツ変換システム１００は、選択された視聴コンテンツ２１０を含む入力視聴コンテンツ２００を受信するように示されている。選択されたコンテンツ２１０は、不正アクセスからの保護が望ましい視聴コンテンツ２００の所定部分を有することができる。コンテンツ変換システム１００は図１に示されるように、受信した視聴コンテンツ２００を変換視聴コンテンツ３００に変換する。具体的には、コンテンツ変換システム１００は、保護コンテンツ３１０を有する変換視聴コンテンツ３００を提供することができる。不正アクセスから保護されて、保護視聴コンテンツ３１０は、コンテンツ変換システム１００によって変換されるように選択されたコンテンツ２１０を備える。コンテンツ変換システム１００は、選択されたコンテンツ２１０を従来の方法で変換することによって、保護コンテンツ３１０を提供することができる。たとえば、コンテンツ変換システム１００は従来の暗号化技術を選択されたコンテンツ２１０に適用して、保護コンテンツ３１０を提供することができる。
【００１０】
選択されたコンテンツ２１０を含まない視聴コンテンツ２００は、視聴コンテンツ２００の残余コンテンツ２２０（図２に示される）と称することができる。言い換えれば、残余コンテンツ２２０は、視聴コンテンツ２００の未選択部分を有することができる。残余部分２２０は、たとえば、視聴コンテンツ２００を処理するための情報などの補足データ（図示せず）を含むことができる。残余部分２２０は好ましくは、視聴コンテンツ２００の滑らかな表示を確実に助けるように、表示データ（図示せず）を含む。要望に応じて、残余コンテンツ２２０は保護されないままでもよく、保護コンテンツ３１０と結びつけて変換視聴コンテンツ３００を提供することができる。それにより、変換視聴コンテンツ３００は、無許可の使用、複製、および／または配布から部分的に保護することができる、および／または、たとえ傍受またはそれ以外の方法で盗まれたとしても、変換視聴コンテンツ３００は容易には使用可能とならない。
【００１１】
視聴コンテンツ２００は、相互係属米国特許出願である、２００４年２月４日に提出された出願番号第１０／７７２、５６５年の「ファイルをダウンロードするシステムおよび方法」、２００５年６月１５日に提出された出願番号第１１／１５４、７４９年の「旅行中に視聴コンテンツを表示する携帯メディアデバイスおよび方法」、２００５年１１月７日に提出される出願番号第１１／２６９、３７８号の「海外旅行中に携帯プラットフォーム上で放送コンテンツを受信するシステムおよび方法」に記載されるように、記憶された（または時間遅延された）視聴コンテンツおよび／または生の（またはリアルタイムの）視聴コンテンツなどの、従来の種類の可聴および／または可視の視聴コンテンツを含むことができる。上記の出願は、本願の譲受人に譲渡されており、各開示はここに参照により全文が組み込まれる。
【００１２】
要望に応じて、視聴コンテンツ２００は、本願の譲受人に譲渡されており、その開示はここに参照により全文が組み込まれる米国特許番号第６、６６１、３５３号の「双方向フライトマップ情報を表示する方法」に記載される方法で地理情報を含むことができる。もしくは、および／または、生の衛星テレビ番組および／または生の衛星ラジオ番組などの娯楽コンテンツに加えて、視聴コンテンツ２００は同様に、インターネット４２０へのリアルタイムアクセスなどの双方向通信（に示される図９Ｂ）、および／または本願の譲受人に譲渡されており、本願の開示が参照によりここに全文が組み込まれる米国特許番号第５、５６８、４８４号の「商用航空機および他の乗物で使用される遠距離通信システムおよび方法」に記載されるような遠距離通信を含むことができる。図示され、本明細書に記載される代表的な視聴コンテンツ２００は包括的ではなく、限定ではなく説明のために本明細書で提示されていることを理解されたい。
【００１３】
図２は、複数のコンテンツフレーム（またはパケット）２４０を備える従来のフレーム（またはパケット）シーケンス２３０として視聴コンテンツ２００を示す。コンテンツフレーム２４０は、典型的な伝送ストリームのコンテンツデータの基本単位である。図２に示されるように、代表的なフレームシーケンス２３０は所定数のコンテンツフレーム２４０Ａ−Ｎを含む事ができ、コンテンツフレーム２４０はフレームシーケンス２３０に従い表示することができる。コンテンツフレーム２４０Ａ−Ｎは、たとえば、再生および早送り動作中に、フレームシーケンス２３０の順方向２３２に進ませることができる。コンテンツフレーム２４０Ａ−Ｎのフレームシーケンス２３０は同様に、巻戻し動作中に、順方向２３２の反対の逆方向２３４で表示させることができる。要望に応じて、フレームシーケンス２３０の順方向２３２および逆方向２３４は、サーチ動作中に、コンテンツフレーム２４０Ａ−Ｎに適用することができる。
【００１４】
代表的なコンテンツフレーム２４０Ｊに示されるように、各コンテンツフレーム２４０は、フレーム（またはパケット）ヘッダ２５０を含むことができる。フレームヘッダ２５０は、従来のフレーム（またはパケット）ヘッダとして提供することができる。コンテンツフレーム２４０の最初に与えられるように示されるフレームヘッダ２５０は通常、記憶され、および／またはコンテンツフレーム２４０とともに送信され、コンテンツフレーム２４０の処理情報などの補足データを含むことができる。フレームヘッダ２５０は好ましくは残余コンテンツ２２０とともに提供され、図１を参照して上述されたように保護されないままにしておくことができる。残余コンテンツ２２０は、要望に応じて、コンテンツフレーム２４０毎に、フレームサイズおよび／またはフレームフォーマットなどの他のデータおよび／または情報を含むことができる。
【００１５】
各コンテンツフレーム２４０は同様に、１つ以上のコンテンツフィールド２６０を有することができる。図２に示されるように、代表的なコンテンツフレーム２４０Ｊは、少なくとも１つの映像コンテンツフィールド２６０Ｖおよび／または少なくとも１つの音声コンテンツフィールド２６０Ａを含む事ができ、選択されたコンテンツ２１０は、１つ以上のコンテンツフィールド２６０を含むことができる。各映像コンテンツフィールド２６０Ｖは、映像コンテンツ２１２を記憶および／または提供するための従来のコンテンツフィールドを備える。一方、音声コンテンツ２１４、２１６は、従来の音声コンテンツフィールド２６０Ａによって記憶および／または提供され得る。代表的なコンテンツフレーム２４０Ｊのコンテンツフィールド２６０Ｖに記憶される映像コンテンツ２１２は可視の画像情報を備えるが、映像コンテンツ２１２は完全な画像を含んでいてもよいし含んでいなくてもよい。たとえば、視聴コンテンツ２００を提供するために適用されるコンテンツフォーマットおよび／または暗号化スキームに応じて、代表的なコンテンツフレーム２４０Ｊの映像コンテンツ２１２は、フレームシーケンス２３０中の代表的なコンテンツフレーム２４０Ｊに先立つ、および／または続く１つ以上のコンテンツフレーム２４０に依存してもよい。
【００１６】
選択された映像コンテンツフィールド２６０Ｖの映像コンテンツ２１２は、少なくとも１つの別の映像コンテンツフィールド２６０Ｖの映像コンテンツ２１２と同期させることができる。それにより、複数の画像を従来の方法で同時に表示させることができる。たとえば、複数の画像を、本願の譲受人に譲渡されており、その開示が参照によりここに全文が組み込まれる相互係属米国特許出願である、２００６年４月１９日に提出された出願番号第１１／３７９、３６０号の「高品質映像を表示するシステムおよび方法」に記載される方法で、ピクチャ・イン・ピクチャ（ＰｉＰ）フォーマットおよび／またはピクチャ・アウトサイド・ピクチャ（ＰｏＰ）フォーマットで表示することができる。要望に応じて、１つ以上の他の映像コンテンツフィールド２６０Ｖは同様に、選択された映像コンテンツフィールド２６０Ｖの映像コンテンツ２１２とともに表示するために、クローズド−キャプション方式のコンテンツおよび／またはサブタイトルコンテンツなどのテキストコンテンツを含むことができる。
【００１７】
同様に、各映像コンテンツフィールド２６０Ｖの映像コンテンツ２１２は好ましくは、同時再生のために、少なくとも１つの音声コンテンツフィールド２６０Ａの音声コンテンツ２１４、２１６と同期させられる。それにより、音声コンテンツ２１４、２１６は、従来の映像コンテンツ２１２用のサウンドトラックを備えることができる。たとえば、一対の選択された音声コンテンツフィールド２６０Ａの音声コンテンツ２１４、２１６は一緒に再生して、映像コンテンツ２１２のステレオサウンドトラックを提供することができる。映像コンテンツ２１２用のサウンドトラックは同様に、複数の選択された音声コンテンツフィールド２６０Ａを介して、複数の異なる言語および／または異なる方言で提供することができる。これにより、映像コンテンツ２１２は、適切な音声コンテンツ２１４、２１６を有する１つ以上の音声コンテンツフィールド２６０Ａを選択することによって、適切な言語および／または方言でサウンドトラックとともに同時に表示することができる。映像コンテンツ２１２用の楽譜は、要望に応じて、選択された音声コンテンツフィールド２６０Ａから音声コンテンツ２１４、２１６として記憶および／または送信することができる。
【００１８】
もしくは、および／または、さらに、視聴コンテンツ２００のコンテンツフレーム２４０は、１つ以上の雑コンテンツフィールド（図示せず）を含むことができる。代表的な雑コンテンツフィールドは、クローズド−キャプション方式のデータフィールド、個人データフィールド、および／または固有データフィールドを含むことができる。上述したように、各雑コンテンツフィールドは、映像コンテンツ２１２および／または音声コンテンツ２１４、２１６と同期させることができる。雑コンテンツフィールドは同様に、要望に応じて、選択されたコンテンツ２１０および／または残余コンテンツ２２０とともに含めることができる。
【００１９】
上記相互係属米国特許出願である、２００４年２月４日に提出された出願番号第１０／７７２、５６５号の「ファイルをダウンロードするシステムおよび方法」と、２００５年６月１５日に提出された出願番号第１１／１５４、７４９号の「旅行中に視聴コンテンツを表示するための携帯メディアデバイスおよび方法」に記載されるように、視聴コンテンツ２００は、従来の方法で、提供、記憶、および／または送信することができる。たとえば、視聴コンテンツ２００は、任意の種類のストリーム視聴コンテンツおよび／または視聴コンテンツファイルを含むことができる。視聴コンテンツ２００は同様に、従来のアナログおよび／またはデジタルフォーマットで提供することができる。視聴コンテンツ２００の映像コンテンツ２１２のための図解フォーマットは、音声映像インターリーブ（ＡＶＩ）フォーマット、Ｊｏｉｎｔ  Ｐｈｏｔｏｇｒａｐｈｉｃ  Ｅｘｐｅｒｔｓ  Ｇｒｏｕｐ（ＪＰＥＧ）フォーマット、および／またはＭｏｖｉｎｇ  Ｐｉｃｔｕｒｅ  Ｅｘｐｅｒｔｓ  Ｇｒｏｕｐ（ＭＰＥＧ）フォーマットを含むことができる。一方、ウェーブフォーム（ＷＡＶ）フォーマットおよび／またはＭＰＥＧ音声レイヤ３（ＭＰ３）フォーマットは、音声コンテンツ２１４、２１６のための代表的なフォーマットを含む。視聴コンテンツ２００は任意の非圧縮フォーマットで提供することができるが、視聴コンテンツ２００は同様に圧縮フォーマットで提供して、データの記憶および／または送信を簡易化することができる。滑らかな表示を確保する手助けとして、視聴コンテンツ２００は好ましくは、送信および／または表示中にバッファリングされる。
【００２０】
視聴コンテンツ変換システム１００（図１に示される）によって変換される視聴コンテンツ２００を含む変換視聴コンテンツ３００は同様に、視聴コンテンツ２００（図２に示される）を参照して上述したように、従来形式の可聴および／または可視視聴コンテンツを含むことができる。したがって、図３Ａに示されるように、たとえば、変換視聴コンテンツ３００は上述したように、従来のフレーム（またはパケット）シーケンス３３０として提供することができる。フレームシーケンス３３０は、複数の変換コンテンツフレーム（またはパケット）３４０を含むように示されている。代表的なフレームシーケンス３３０は所定数の変換コンテンツフレーム３４０Ａ−Ｍを含む事ができ、変換コンテンツフレーム３４０は、上述したように、順方向３３２および／または順方向３３２の反対の逆方向３３４にフレームシーケンス３３０に従い提供することができる。
【００２１】
各変換コンテンツフレーム３４０は、代表的な変換コンテンツフレーム３４０Ｋに示されるように、フレーム（またはパケット）ヘッダ３５０を含むことができる。基準フレームヘッダ２５０（図２に示される）を参照して上述したように提供される、フレームヘッダ３５０は通常、コンテンツフレーム３４０とともに記憶および／または送信され、コンテンツフレーム３４０の処理のための情報などの補足データを含むことができる。フレームヘッダ３５０は好ましくは、未保護コンテンツ３２０を備える。未保護コンテンツ３２０は、図１を参照して上述したように、保護されない変換コンテンツフレーム３４０に記憶されるコンテンツであり、要望に応じて、コンテンツフレーム３４０毎にフレームサイズおよび／またはフレームフォーマットなどの他のデータおよび／または情報を含むことができる。従来のフレーム（またはパケット）ヘッダとして提供されるフレームヘッダ３５０は、視聴コンテンツ２００に関してフレームヘッダ２５０（図２に示される）を備える、および／またはフレームヘッダ２５０と異なることができ、コンテンツフレーム３４０の最初に与えられるものとして示されている。
【００２２】
各コンテンツフレーム３４０は、フレームヘッダ２５０を参照して上述したように、１つ以上の変換コンテンツフィールド３６０を有することができる。図３Ａに示されるように、代表的なコンテンツフレーム３４０Ｋは、少なくとも１つの変換映像コンテンツフィールド３６０Ｖおよび／または少なくとも１つの変換音声コンテンツフィールド３６０Ａを含むことができる。各映像コンテンツフィールド３６０Ｖは、映像コンテンツ３１２を記憶および／または提供するための従来のコンテンツフィールドを備える。一方、音声コンテンツ３１４、３１６は、それぞれの従来の音声コンテンツフィールド３６０Ａに記憶および／または提供することができる。たとえば、選択された映像コンテンツフィールド３６０Ｖ内の変換映像コンテンツ３１２は、視聴コンテンツ変換システム１００（図１に示される）によって変換されるように、選択された映像コンテンツフィールド２６０Ｖからの映像コンテンツ２１２（図２に示される）を含むことができる。視聴コンテンツ変換システム１００は同様に、選択された音声コンテンツフィールド２６０Ａからの音声コンテンツ２１４、２１６（図２に示される）を変換して、選択された音声コンテンツフィールド３６０Ａ内の変換音声コンテンツ３１４、３１６を提供することができる。要望に応じて、１つ以上の追加映像コンテンツフィールド３６０Ｖおよび／または音声コンテンツフィールド３６０Ａは、コンテンツフレーム３４０のコンテンツフィールド３６０に追加する、および／またはともに含めることができる。
【００２３】
変換コンテンツフレーム３４０毎に、選択されたコンテンツフィールド３６０内の変換コンテンツ３１２、３１４、３１６は、少なくとも１つのコンテンツフレーム２４０（図２に示される）からの１つ以上の選択されたコンテンツフィールド２６０からのコンテンツ２１２、２１４、２０６と関連付けることができる。各コンテンツフレーム２４０からの選択されたコンテンツフィールド２６０からのコンテンツ２１２、２１４、２０６は同様に、少なくとも１つの変換コンテンツフレーム３４０の１つ以上の選択されたコンテンツフィールド３６０内の変換コンテンツ３１２、３１４、３１６と関連付けることができる。たとえば、代表的なコンテンツフレーム３４０Ｋのコンテンツフィールド３６０Ｖに記憶される変換映像コンテンツ３１２は可視画像情報を備えるが、映像コンテンツ３１２は完全な画像を含んでいても含んでいなくてもよい。たとえば、変換視聴コンテンツ３００を提供するのに適用されるコンテンツフォーマットおよび／または暗号化スキームに応じて、代表的なコンテンツフレーム３４０Ｋの映像コンテンツ３１２は、フレームシーケンス３３０の代表的なコンテンツフレーム３４０Ｋに先立つ、および／または続く１つ以上のコンテンツフレーム３４０に依存することができる。
【００２４】
コンテンツフレーム３４０の１つ以上の変換コンテンツフィールド３６０は、保護コンテンツ３１０を備えることができる。映像コンテンツ２１２（図２に示される）を参照して先に詳述したような方法で、選択された映像コンテンツフィールド３６０Ｖの映像コンテンツ３１２は、少なくとも１つの他の映像コンテンツフィールド３６０Ｖの映像コンテンツ３１２と同期させることができ、好ましくは、同時再生のために、少なくとも１つの音声コンテンツフィールド３６０Ａの音声コンテンツ３１４、３１６と同期させられる。もしくは、および／またはさらに、変換視聴コンテンツ３００のコンテンツフレーム３４０は１つ以上の雑コンテンツフィールド（図示せず）を含むことができる。代表的な雑コンテンツフィールドは、クローズド−キャプション方式のデータフィールド、個人データフィールド、および／または固有データフィールドを含むことができる。上述したように、各雑コンテンツフィールドは、映像コンテンツ３１２および／または音声コンテンツ３１４、３１６と同期させることができる。雑コンテンツフィールドは同様に、要望に応じて、保護コンテンツ３１０および／または未保護コンテンツ３２０とともに含めることができる。
【００２５】
上述した方法で、変換視聴コンテンツ３００は、従来の方法で提供、記憶、および／または送信することができる。たとえば、変換視聴コンテンツ３００は、任意の種類のストリーム視聴コンテンツおよび／または視聴コンテンツファイルを含むことができる。変換視聴コンテンツ３００は同様に、任意の従来のアナログおよび／またはデジタルフォーマットで提供することができる。変換視聴コンテンツ３００は任意の非圧縮フォーマットで提供することができるが、変換視聴コンテンツ３００は同様に圧縮フォーマットで提供して、データの記憶および／または送信を簡易化することができる。滑らかな表示の確保の手助けとして、変換視聴コンテンツ３００は好ましくは、送信および／または表示中にバッファリングされる。
【００２６】
説明のためだけに、変換視聴コンテンツ３００は、Ｍｏｖｉｎｇ  Ｐｉｃｔｕｒｅ  Ｅｘｐｅｒｔｓ  Ｇｒｏｕｐ（ＭＰＥＧ）フォーマットで従来の伝送ストリーム３７０を含むものとして図３Ｂに示される。代表的なＭｏｖｉｎｇ  Ｐｉｃｔｕｒｅ  Ｅｘｐｅｒｔｓ  Ｇｒｏｕｐフォーマットは、国際標準化機構（ＩＳＯ）と国際電気標準会議（ＩＥＣ）規格１３８１８−１に規定されるように、Ｍｏｖｉｎｇ  Ｐｉｃｔｕｒｅ  Ｅｘｐｅｒｔｓ  Ｇｒｏｕｐ１（ＭＰＥＧ−１）フォーマットおよび／またはＭｏｖｉｎｇ  Ｐｉｃｔｕｒｅ  Ｅｘｐｅｒｔｓ  Ｇｒｏｕｐ２（ＭＰＥＧ−２）フォーマットを含むことができる。図２のフレームシーケンス２３０を参照して先に詳述したように、変換視聴コンテンツ３００は、所定のフレームシーケンス３３０に従い、順方向３３２および／または逆方向３３４で提供可能な複数のコンテンツフレーム（またはパケット）３４０を含むことができる。フレームシーケンス３３０に従い表示される際、変換視聴コンテンツ３００は伝送ストリーム３７０として提供することができる。
【００２７】
要望に応じて、変換視聴コンテンツ３００が記憶システム１１４（図５に示される）などの記憶システムに記憶される場合、変換視聴コンテンツ３００は同様に、Ｍｏｖｉｎｇ  Ｐｉｃｔｕｒｅ  Ｅｘｐｅｒｔｓ  Ｇｒｏｕｐ４（ＭＰＥＧ−４）フォーマットで暗号化映像コンテンツとして提供することができる。視聴コンテンツ変換システム１００（図１に示される）は、未暗号化フォーマットで記憶可能なメディアを除き、視聴コンテンツを一定ビットレートメディアに変更することによって、送信用の変換視聴コンテンツ３００を作製することができる。伝送ストリーム２００は好ましくは下位互換性のために、Ｍｏｖｉｎｇ  Ｐｉｃｔｕｒｅ  Ｅｘｐｅｒｔｓ  Ｇｒｏｕｐ（ＭＰＥＧ）フォーマットで提供されるが、たとえば、映像コンテンツがインターネットプロトコル（ＩＰ）で送信されるとき、Ｍｏｖｉｎｇ  Ｐｉｃｔｕｒｅ  Ｅｘｐｅｒｔｓ  Ｇｒｏｕｐ（ＭＰＥＧ）伝送ストリームは必要とされないと認識される。要望に応じて、変換視聴コンテンツ３００は、リアルタイム・トランスポート・プロトコル（ＲＴＰ）でＭＰＥＧ−１および／またはＭＰＥＧ−２エレメンタリストリーム３７２として送信することができる。
【００２８】
伝送ストリーム３７０は、映像コンテンツ３１２の少なくとも１つのエレメンタリストリーム３７２および／または音声コンテンツ３１４、３１６の少なくとも１つのエレメンタリストリーム３７２などの１つ以上の（パケット化）エレメンタリストリーム３７２（図６に示される）から形成することができる。言い換えれば、映像コンテンツ３１２のエレメンタリストリーム３７２はエレメンタリ映像ストリーム３７２Ｖ（図６に示される）として称することができ、一方、エレメンタリ音声ストリーム３７２Ａ（図６に示される）は音声コンテンツ３１４、３１６のエレメンタリストリーム３７２を含むことができる。ＭＰＥＧ規格は、映像コンテンツ３１２および／または音声コンテンツ３１４、３１６のエレメンタリストリームのシンタックスを規定する。たとえば、エレメンタリ映像ストリーム３７２Ｖとエレメンタリ音声ストリーム３７２Ａは、上述したように多重化され、同期させることができ、映像コンテンツ３１２および／または音声コンテンツ３１４、３１６は要望に応じて暗号化することができる。これにより、エレメンタリ映像ストリーム３７２Ｖとエレメンタリ音声ストリーム３７２Ａとを結合して伝送ストリーム３７０を形成することができる。
【００２９】
従来の伝送ストリーム３７０がＭｏｖｉｎｇ  Ｐｉｃｔｕｒｅ  Ｅｘｐｅｒｔｓ  Ｇｒｏｕｐ（ＭＰＥＧ）フォーマットで提供されるとき、映像コンテンツ３１２は複数の異なる種類のコンテンツフレーム３４０で暗号化することができる。図３Ｂに示されるように、たとえば、コンテンツフレーム３４０は、イントラ符号化画像フレーム（またはＩ−フレーム）３４０ＩＩ、予測符号化フレーム（またはＰ−フレーム）３４０ＰＰ、および／または、双方向予測符号化フレーム（またはＢ−フレーム）３４０ＢＢなどの従来の種類のコンテンツフレーム３４０を含むことができる。Ｉ−フレーム３４０ＩＩは通常、他の先行するおよび／または後に続くコンテンツフレーム３４０を参照せずに単独の画像として符号化される独立コンテンツフレーム３４０を含む。Ｉ−フレーム３４０ＩＩは単独画像として符号化されるため、Ｉ−フレーム３４０ＩＩはほとんどの情報を含み、最大のフレームサイズを有する。
【００３０】
対照的に、従来のＰ−フレーム３４０ＰＰは、選択されたＩ−フレーム３４０ＩＩおよび／または別のＰ−フレーム３４０ＰＰなどの最も近い先行基準フレームに関連して符号化される。同様に、Ｂ−フレーム３４０ＢＢは他のコンテンツフレーム３４０に依存し、先行する基準フレームおよび／または後に続く基準フレームに関連して符号化することができる。Ｐ−フレーム３４０ＰＰを参照して説明したように、Ｂ−フレーム３４０ＢＢ毎に、先行する基準フレームおよび後に続く基準フレームは、選択されたＩ−フレーム３４０ＩＩおよび／または別のＰ−フレーム３４０ＰＰであってもよい。説明のためのみに図３Ｂを参照して、Ｉ−フレーム３４０ＩＩ、Ｐ−フレーム３４０ＰＰ、およびＢ−フレーム３４０ＢＢの典型的な配置を備えるように図示され記載されているが、伝送ストリーム３７０は、所定数の異なる種類のコンテンツフレーム３４０の任意の適切な配置を備えることができる。伝送ストリーム３７０は、たとえば、早送りおよび／または早巻戻し動作を簡易化するために、イントラフレーム符号化ＤＣ−符号化画像フレーム（またはＤ−フレーム）（図示せず）を含むことができる。
【００３１】
伝送ストリーム３７０用の代表的なコンテンツフレーム３４０を、図４Ａ〜Ｃを用いて図示し説明する。各コンテンツフレーム３４０は、従来の伝送ストリーム３７０がＭｏｖｉｎｇ  Ｐｉｃｔｕｒｅ  Ｅｘｐｅｒｔｓ  Ｇｒｏｕｐ（ＭＰＥＧ）フォーマットで提供される場合、通常約１８８バイトである予め選択されたフレーム長を有することができる。図４Ａを参照すると、たとえば、コンテンツフレーム３４０は、フレームヘッダ３５０とフレームペイロード３８０を含むものとして示されている。フレームヘッダ３５０は図３Ａを参照して上述したように提供することができ、フレームペイロード３８０はコンテンツフレーム３４０においてフレームヘッダ３５０に続き、残りのバイトのコンテンツフレーム３４０を含む。図３Ａのコンテンツフレーム３４０の代表的なシーケンス３３０を参照して先に詳述したように、フレームペイロード３８０の少なくとも１部は、保護コンテンツ３１０であると指定することができ、一方、フレームヘッダ３５０は好ましくは、未保護コンテンツ３２０を提供され、保護されないままである。
【００３２】
コンテンツフレーム３４０のフレームヘッダ３５０は、従来のＭｏｖｉｎｇ  Ｐｉｃｔｕｒｅ  Ｅｘｐｅｒｔｓ  Ｇｒｏｕｐ（ＭＰＥＧ）フレームヘッダを有し、任意の適切な数のビットフィールド（図示せず）を含むことができる。各コンテンツフレーム３４０は、所定数の情報ビットを有するヘッダ長を有し、ヘッダ長は好ましくは、伝送ストリーム３７０を形成するコンテンツフレーム３４０の間で略一定である。代表的なビットフィールドは、パケット識別子（ＰＩＤ）フィールド、転送スクランブル制御フィールド、ペイロードユニット開始インジケータフィールド、転送プライオリティフィールド、適合フィールド制御フィールド、同期フィールド、転送エラーインジケータフィールド、および／または継続カウンタフィールドを含むことができる。代表的なビットフィールドは、本発明を網羅するものではなく、そして限定の目的でなく、説明のためだけに本明細書で提示されている。
【００３３】
パケット識別子フィールドは通常、たとえば、フレームペイロード３８０と関連付けられるコンテンツの種類を示す。保護コンテンツ３１０のみがたとえば暗号化を介して保護されているため、パケット識別子フィールドは、メディアが保護されているかどうかを示す。転送スクランブル制御フィールドはフレームペイロード３８０のスクランブルモードを示すために適用することができ、一方、ペイロードユニット開始インジケータフィールドは、パケット化エレメンタリストリーム（ＰＥＳ）ヘッダ３８２（図４ＢおよびＣに示される）を有するフレームペイロード３８０に適用される１フィールドである。ペイロードユニット開始インジケータフィールドが設定されるとき、転送プライオリティフィールドは、関連付けられたフレームペイロード３８０がパケット化エレメンタリストリームヘッダ３８２の最初のバイトで始まるかどうかを示す。
【００３４】
好都合なことに、ビットフィールドを使用することは、視聴コンテンツ変換システム１００（図１に示される）は、保護コンテンツ３１０を解読せずに伝送ストリーム３７０（図３Ｂに示される）のＩ−フレーム３４０ＩＩ（図３Ｂに示される）を抽出することを可能とする。たとえば、エレメンタリストリームパケットは通常伝送ストリームパケットよりもずっと大きいため、ペイロードユニット開始インジケータフィールドなどの最初の選択されたビットフィールドは、関連付けられたコンテンツフレーム３４０がパケット化エレメンタリストリームヘッダ３８２を含むかどうかを示すために適用することができる、および／または、転送プライオリティフィールドなどの第２の選択されたビットフィールドは、関連付けられたコンテンツフレーム３４０がＩ−フレーム３４０ＩＩ、Ｂ−フレーム３４０ＢＢ（図３Ｂに示される）、および／またはＰ−フレーム３４０ＰＰ（に示される図３Ｂ）であるかどうかを示すために適用することができる。転送プライオリティフィールドが１ビットのビットフィールドを備える場合、転送プライオリティフィールドは、コンテンツフレーム３４０がＩ−フレーム３４０ＩＩであることを示すため、高論理レベルのような第１の所定値（または「１」）に設定し、コンテンツフレーム３４０がＢ−フレーム３４０ＢＢまたはＰ−フレーム３４０ＰＰであることを示すため、低論理レベルのような第２の所定値（または「０」）に設定することができる。
【００３５】
コンテンツフレーム３４０がパケットタイミング情報を提供するための従来の適合フィールド３９０（図４Ｃに示される）をさらに含むことができる場合、適合フィールド制御フィールドは、コンテンツフレーム３４０がフレームペイロード３８０および／または適合フィールド３９０を備えるかどうかを示すために適用することができる。フレーム長とヘッダ長は通常、コンテンツフレーム３４０の間で一定であるため、フレームペイロード３８０および適合フィールド３９０を提供する各コンテンツフレーム３４０内に残る総ビット数は同様に略一定である。したがって、フレームペイロード３８０を記憶するために使用可能なビット数は、適合フィールド３９０のために確保されるビット数が増えるほど減少する。適合フィールド３９０は好ましくは、未保護コンテンツ３２０内のフレームヘッダ３５０とともに含まれ、保護されないままである。特定のパケットフィールドが説明のためだけに図４Ａ〜Ｃを用いて図示され記載されているが、コンテンツフレーム３４０は要望に応じて任意の適切な数および／または種類の従来のパケットフィールドを含むことができると理解される。
【００３６】
図４Ｂを参照すると、図示されるコンテンツフレーム３４０のフレームペイロード３８０は、１つ以上のコンテンツフィールド３６０を備えるように示されている。図３Ａの代表的なコンテンツフレーム３４０Ｋを参照して詳述されるように、コンテンツフィールド３６０は、少なくとも１つの映像コンテンツフィールド３６０Ｖおよび／または少なくとも１つの音声コンテンツフィールド３６０Ａを含むことができる。１つ以上のコンテンツフィールド３６０は、保護コンテンツ３１０として保護されるように指定することができる。要望に応じて、パケット化エレメンタリストリームヘッダ３８２は、図４Ｂに示される保護コンテンツ３１０として保護されるように指定することができる、および／または図４Ｃに示されるように未保護コンテンツ３２０とともに含めることができる。コンテンツフレーム３４０がフレームシーケンス３３０（図３Ｂに示される）に従い提供されるとき、伝送ストリーム３７０（図３Ｂに示される）は、保護コンテンツ３１０の１つ以上のエレメンタリストリーム３７２（図６に示される）を含むことができる。多少異なった説明を行うと、視聴コンテンツ変換システム１００（図１に示される）は好都合なことに、伝送ストリーム２７０のフレーム（または伝送ストリーム）ペイロード３８０のみを保護する。これにより、変換視聴コンテンツ３００は無許可の使用、複製、および／または配布から少なくとも部分的に保護することができる、および／または、たとえ傍受される、あるいは他の方法で盗まれるとしても、変換視聴コンテンツ３００は容易に使用可能とはならない。
【００３７】
視聴コンテンツ変換システム１００は、視聴コンテンツ２００の選択されたコンテンツ２１０を、暗号化などの従来の方法で変換視聴コンテンツ３００の保護コンテンツ３１０に変換することができる。選択されたコンテンツ２１０は、独自の暗号化技術の使用など、従来の暗号化技術を使用して暗号化することができ、好ましくは、好適な構成パラメータの配置を有する１２８ビット秘密キー暗号などの次世代暗号標準（ＡＥＳ）を用いて暗号化される。世界エアーライン娯楽協会（ＷＡＥＡ）仕様書番号第４０３号に従い、各メディアファイルはユニークキー、好ましくは、メディアファイルが作製される際にメディアソースによって作製されるのと同じであるユニークキーと関連付けることができる。コストおよび／または管理費をさらに低減するため、キー配布機構は、工場での単純にキーを搭載するために、デバイス特有のキーの配布および／または使用を禁ずる。キー配布機構は同様に、システム上にキーを安全に保管するセキュリティ集積回路を含むことができる、および／または外部のキー管理機構（ＫＭＡ）の機能を必要としない。
【００３８】
要望に応じて、視聴コンテンツ２００の暗号化技術は、暗号ブロック連鎖方式（Ｃｉｐｈｅｒ  Ｂｌｏｃｋ  Ｃｈａｉｎｉｎｇ：ＣＢＣ）を含むことができ、このＣＢＣは、低論理値（または「０」）などの予め選択された値と等しくなり得るＣＢＣ暗号化ブロックのために、初期値（ＩＶ）を有する伝送ストリームペイロード３８０の最初のバイトから始まる。ＣＢＣ暗号化ブロックの初期値（ＩＶ）は、キー値を伴うなどの従来の方法で配布することができる。暗号フィードバック（ＣＦＢ）モードでは、暗号化技術は同様に、先のＣＢＣ暗号化ブロックからの出力を含むことのできる、約１８８バイトおよび／または初期値（ＩＶ）のブロックサイズより小さな伝送ストリームペイロード３８０の残りを含むことができる。好都合なことに、ＣＢＣ連鎖の長さを１８８バイトの伝送ストリームパケット３４０までに制限することによって、各伝送ストリームパケット３４０は、伝送ストリーム３７０の先行する部分を解読せずとも視聴および解読することができる。これにより、早送り動作および／または巻戻し動作などの個々のジャンプ動作、および伝送ストリームヘッダからの情報を用いるＩ−フレーム３４０ＩＩ（図３Ｂに示される）のサーチをサポートすることができる。したがって、Ｉ−フレームのサーチを用いて、より滑らかなジャンプ機能を提供することができる。
【００３９】
すべての許可された視聴コンテンツ２００および通常、暗号化フォーマットで提供される他のデータは、静止状態のとき（たとえば、記憶システム内に記憶されているとき）および／または送信中、暗号化フォーマットのままであってもよい。それにより、視聴コンテンツ変換システム１００はデータの安全性を高め、データの記憶および伝送を含むステップを簡易化し、および／または早送り動作および／または巻戻し動作などの選択された機能が実行される際に所定の帯域負荷許容範囲を保持することができる。さらに、伝送ストリームペイロード３８０の暗号化が標準の実行として採用される場合、送信および／または記憶の前に視聴コンテンツ２００などのデータを解読し再暗号化する必要性を回避することができる。したがって、可能な節減としては、視聴コンテンツ変換システム１００によって処理される視聴コンテンツ２００の量を掛けるストリーム視聴コンテンツの各短い時間の間毎に、相当量の時間が節減される。
【００４０】
視聴コンテンツ変換システム１００は従来の方法で提供することができるが、視聴コンテンツ変換システム１００は、コンピュータサーバ（またはワークステーション）システム１１０を含むように図５に示される。サーバシステム１１０は、相互係属米国出願である、２００４年２月６日に提出された出願番号第１０／７７３、５２３号の「ネットワーク信頼性を向上するためのシステムおよび方法」と、２００５年３月２１日に提出された出願番号第１１／０８６、５１０号の「ネットワーク信頼性を向上するためのシステムおよび方法」とに記載されるような従来の方法で提供することができる。サーバシステム１１０は、視聴コンテンツ２００を受信し、先に詳述されたように、受信した視聴コンテンツ２００を変換視聴コンテンツ３００に変換することができる。これにより、サーバシステム１１０は、伝送ストリームペイロード３８０（図４ＢおよびＣに示される）を有する伝送ストリーム３７０を提供することができる。
【００４１】
図５に示されるように、サーバシステム１１０は、視聴コンテンツ２００を受信する処理システム１１２と、変換視聴コンテンツ３００を記憶し提供する記憶システム１１４とを含むことができる。上記相互係属米国特許出願である、２００４年２月４日に提出された出願番号第１０／７７２、５６５号の「ファイルをダウンロードするシステムおよび方法」と、２００５年６月１５日に提出された出願番号第１１／１５４、７４９号の「旅行中に視聴コンテンツを表示するための携帯メディアデバイスおよび方法」に記載されるような方法で提供される処理システム１１２は、任意の適切な数および種類の従来の処理システムを備えることができる。一方、記憶システム１１４は、処理システム１１２と結合し、ソフトウエアやファームウエアなどの指示コード、中間演算結果、および処理システム１１２と関連付けられるその他の情報を含む、その他の従来の種類の情報を記憶し提供する任意の従来の種類の記憶システムを有することができる。要望に応じて、記憶システム１１４は、図５に示されるように、視聴コンテンツ２００の少なくとも一時的な記憶を提供することができる。
【００４２】
サーバシステム１１０は同様に、視聴コンテンツ２００を受信するコンテンツ受信システム１２０および／または伝送ストリーム３７０を提供するコンテンツ送信システム１３０と結合することができる。要望に応じて、サーバシステム１１０、コンテンツ受信システム１２０、およびコンテンツ送信システム１３０は、図５に示されるように別個のシステムを含むことができる、および／またはコンテンツ受信システム１２０および／またはコンテンツ送信システム１３０は、サーバシステム１１０と少なくとも部分的に一体化させることができる。伝送ストリーム３７０がＭｏｖｉｎｇ  Ｐｉｃｔｕｒｅ  Ｅｘｐｅｒｔｓ  Ｇｒｏｕｐ（ＭＰＥＧ）フォーマットで提供される場合、たとえば、コンテンツ受信システム１２０は従来の復号化および圧縮システム１２２を含むことができる。それにより、コンテンツ受信システム１２０は視聴コンテンツ２００を、変換視聴コンテンツ３００としてさらなる処理および／または記憶のために適切なＭＰＥＧフォーマットに符号化し、圧縮することができる。コンテンツ送信システム１３０は、サーバシステム１１０から変換視聴コンテンツ３００の１つ以上のエレメンタリストリーム３７２（図６に示される）を受信することができる。従来の伝送マルチプレクサシステム１３２として提供されるように図示された、コンテンツ送信システム１３０はエレメンタリストリーム３７２を多重化し、伝送ストリーム３７０を形成することができる。
【００４３】
図５に示されるように、視聴コンテンツ変換システム１００は、選択されたコンテンツソース４００と関連付けることができる。コンテンツソース４００は、上記相互係属米国特許出願である、２００４年２月４日に提出された出願番号第１０／７７２、５６５号の「ファイルをダウンロードするシステムおよび方法」と、２００５年６月１５日に提出された出願番号第１１／１５４、７４９号の「旅行中に視聴コンテンツを表示するための携帯メディアデバイスおよび方法」、ならびに、相互係属米国特許出願である、２００５年５月６日に提出された出願番号第１１／１２３、３２７号の「携帯プラットフォーム上のコンテンツを管理するシステムおよび方法」と、２００５年１１月７日に提出された出願番号第１１／２６９、３７８号の「海外旅行中に携帯プラットフォーム上で放送コンテンツを受信するシステムおよび方法」に記載されるような方法で提供することができる。上記出願は本願の譲受人に譲渡されており、各開示は参照により本明細書に全文を組み込まれる。視聴コンテンツ変換システム１００は同様に、別のコンテンツソース（図示せず）から視聴コンテンツ２００を受信する、および／または別のコンテンツソース（図示せず）に変換視聴コンテンツ３００の伝送ストリーム３７０を提供することができる。言い換えれば、選択されたコンテンツソース４００は、１つ以上の別のコンテンツソースを含む大きな通信システム内の中間（または中継）システムとして動作するように構成することができる。
【００４４】
図６は、伝送ストリーム３７０を受信し、表示のために受信した伝送ストリーム３７０を１つ以上のエレメンタリストリーム３７２に逆変換する代表的な視聴コンテンツ表示システム５００を示す。従来の方法で提供されたコンテンツ表示システム５００は、伝送ストリーム３７０を受信し、受信した伝送ストリーム３７０からエレメンタリストリーム３７２を回復することのできる視聴コンテンツ逆変換システム５１０を含むように図示されている。したがって、視聴コンテンツ逆変換システム５１０は、視聴コンテンツ２００（図１に示される）を変換視聴コンテンツ３００に実質上逆変換し、保護コンテンツ３１０を表示可能にするように、保護コンテンツ３１０（図１に示される）からの保護を外すことができる。言い換えれば、伝送ストリーム３７０が暗号化伝送ストリームペイロード３８０（図４ＢおよびＣに示される）を提供される場合、たとえば、視聴コンテンツ逆変換システム５１０は、伝送ストリーム３７０を解読し、配信のために解読エレメンタリストリーム３７２を提供することができる。
【００４５】
図３Ａを参照して上述したように、エレメンタリストリーム３７２は、少なくとも１つのエレメンタリ映像ストリーム３７２Ｖおよび／または少なくとも１つのエレメンタリ音声ストリーム３７２Ａを含むことができる。図６の視聴コンテンツ表示システム５００は同様に、エレメンタリ映像ストリーム３７２Ｖを視覚的に表示する音声表示システム５２０とエレメンタリ音声ストリーム３７２Ａを音声的に表示する映像表示システム５３０とを含むように図６に示されている。映像表示システム５２０と音声表示システム５３０はそれぞれ、従来の方法で提供することができる。たとえば、映像表示システム５２０と音声表示システム５３０は、上記相互係属米国特許出願である、２００４年２月４日に提出された出願番号第１０／７７２、５６５号の「ファイルをダウンロードするシステムおよび方法」、２００５年６月１５日に提出された出願番号第１１／１５４、７４９号の「旅行中に視聴コンテンツを表示する携帯メディアデバイスおよび方法」、２００５年１１月７日に提出される出願番号第１１／２６９、３７８号の「海外旅行中に携帯プラットフォーム上で放送コンテンツを受信するシステムおよび方法」、および２００６年４月１９日に提出された出願番号第１１／３７９、３６０号の「高品質映像を表示するためのシステムおよび方法」に記載されるように提供することができる。
【００４６】
図７に示されるように、表示コンテンツ変換システム１００は、視聴コンテンツ表示システム５００に組み込むことができる。これにより、視聴コンテンツ表示システム５００は好都合なことに、先に詳述されたように、視聴コンテンツ２００を受信し、局所記憶および／または表示のために受信した視聴コンテンツ２００を変換視聴コンテンツ３００（図１に示される）に変換するように構成することができる。視聴コンテンツ変換システム１００を組み込むことによって、視聴コンテンツ表示システム５００は、視聴コンテンツ２００を直接受信し、視聴コンテンツ２００の選択されたコンテンツ２１０（図１に示される）を保護するために提供することができる。これにより、視聴コンテンツ表示システム５００は、伝送ストリームペイロード３８０（図４ＢおよびＣに示される）とともに伝送ストリーム３７０を局所的に記憶し、および／またはエレメンタリストリーム３７２を局所映像表示システム５２０および／または音声表示システム５３０に配信することができる。これにより、変換視聴コンテンツ３００は、無許可の使用、複製、および／または配布から少なくとも部分的に保護されることができる、および／または、たとえ傍受される、あるいは他の方法で盗まれるとしても、変換視聴コンテンツ３００は容易には使用可能とならない。
【００４７】
視聴コンテンツ再変換システム５１０は、コンピュータサーバ（またはワークステーション）システム５４０を含むとして図８に示されている。サーバシステム５４０は、サーバシステム１１０（図５に示される）を参照して詳述されるように従来の方法でも提供することができる。図８に示されるように、サーバシステム５４０は上述したように、伝送ストリーム３７０を受信し、受信した伝送ストリーム３７０を１つ以上の映像エレメンタリストリーム３７２Ｖおよび／または音声エレメンタリストリーム３７２Ａに逆変換することができる。それにより、サーバシステム５４０は、エレメンタリストリーム３７２を映像表示システム５２０および／または音声表示システム５３０に提供することができる。
【００４８】
図８に示されるように、サーバシステム５４０は、変換視聴コンテンツ３００を受信し処理する処理システム５４２と、変換視聴コンテンツ３００を記憶し提供する記憶システム５４４とを含むことができる。処理システム１１２（図５に示される）を参照して上述されるように提供される処理システム５４２は、任意の適切な数および種類の従来の処理システムを備えることができる。処理システム５４２と結合された、記憶システム５４４は記憶システム１１４（図５に示される）を参照して上述したように提供され、ソフトウエアやファームウエアなどの指示コード、中間演算結果、および処理システム５４２と関連付けられたその他の情報などを含むその他の従来の形式の情報を記憶し提供する任意の従来の形式の記憶システムを含むことができる。記憶システム１１４を参照して上述したように、視聴コンテンツ変換システム１００が図７に示されるように視聴コンテンツ表示システム５００とともに組み込まれる場合、記憶システム５４４は、視聴コンテンツ２００の少なくとも一時的な記憶を提供することができる。伝送ストリーム３７０がＭｏｖｉｎｇ  Ｐｉｃｔｕｒｅ  Ｅｘｐｅｒｔｓ  Ｇｒｏｕｐ（ＭＰＥＧ）フォーマットで提供される場合、たとえば、処理システム５４２は、表示のためにエレメンタリストリーム３７２を提供するために伝送ストリーム３７０上で従来の復号化および解凍動作を実行することができる。
【００４９】
サーバシステム１１０は同様に、ユーザが視聴コンテンツ表示システム５００と通信できるように入力システム５５０と結合することができる。たとえば、入力システム５５０は、視聴コンテンツ表示システム５００の動作を制御する１つ以上のユーザ指示をユーザに入力させることができる。図示される指示は、表示および／または選択された視聴コンテンツ２００の表示を制御する指示のために、視聴コンテンツ２００（図１に示される）を選択する指示を含むことができる。入力システム３７４とサーバシステム１１０は、図８に示されるように、少なくとも１つの制御信号３７４を交換することによって通信することができる。
【００５０】
入力システム５５０は、従来の方法で提供することができ、通常は１つ以上のキーボードまたはキーパッドなどのスイッチ（またはプッシュボタン）および／またはマウス、トラックボール、タッチペンなどのポインタ装置を含む。代表的な入力システム５５０は、上記相互係属米国特許出願である、２００４年２月４日に提出された出願番号第１０／７７２、５６５号の「ファイルをダウンロードするシステムおよび方法」と、２００５年６月１５日に提出された出願番号第１１／１５４、７４９号の「旅行中に視聴コンテンツを表示する携帯メディアデバイスおよび方法」とに図示され記載される。映像表示システム５２０、音声表示システム５３０、および／または入力システム５５０の組み合わせは、ユーザインタフェース５６０と称することができる。要望に応じて、入力システム５５０は、映像表示システム５２０および／または音声表示システム５３０と少なくとも部分的に接続することができる。
【００５１】
視聴コンテンツ変換システム１００および／または視聴コンテンツ表示システム５００は、ビルディングのような固定位置に配置される情報システムと組み合わせて使用することができるが、視聴コンテンツ変換システム１００および／または視聴コンテンツ表示システム５００は同様に好都合なことに携帯システム用途にも適用可能である。図９ＡおよびＢを参照すると、たとえば、視聴コンテンツ変換システム１００および／または視聴コンテンツ表示システム５００は、様々な車両７００に設置されるように構成可能な車両情報システム６００内に適用することができる。代表的な種類の車両は、自動車７１０Ａ（図９Ａに示される）、航空機７１０Ｂ（図９Ｂに示される）、バス、娯楽用乗物、船舶、および／または機関車を制限なく含むことができる。図９Ｂに示されるように、航空機７１０Ｂに設置される場合、たとえば、車両情報システム６００は、カリフォルニア州レイクフォレストのＰａｎａｓｏｎｉｃ  Ａｖｉｏｎｉｃｓ  Ｃｏｒｐｏｒａｔｉｏｎ（前Ｍａｔｓｕｓｈｉｔａ  Ａｖｉｏｎｉｃｓ  Ｓｙｓｔｅｍｓ  Ｃｏｒｐｏｒａｔｉｏｎ）社製、シリーズ２０００、３０００、ｅＦＸ、および／またはｅＸ２飛行中娯楽システムなどの従来の航空機乗客飛行中娯楽システムを含むことができる。
【００５２】
図９Ａ〜Ｂに示されるように、車両情報システム６００は、コンテンツソース４００（図５に示される）を参照して先に詳述したように提供される１つ以上の従来のコンテンツソース４００から視聴コンテンツを表示することができる。コンテンツソース４００は、車両７００に搭載されたサーバシステム６１０などの少なくとも１つの内部コンテンツソース、および／または車両７００の外部にある少なくとも１つの遠隔コンテンツソース４１０、を含むことができる。車両情報システム６００は、有線および／または無線通信を介するなどの従来の方法で、コンテンツソース４００と通信することができる。図９Ｂに示されるように、たとえば、車両情報システム６００は、遠隔コンテンツソース４１０と通信し、視聴コンテンツを受信するためのアンテナシステム６２０およびトランシーバシステム６３０を含むことができる。アンテナシステム６２０は好ましくは、航空機７１０Ｂの機体７３０の外面７２０などの車両７００の外部に配置される。
【００５３】
したがって、車両情報システム６００と遠隔コンテンツソース４１０は、衛星通信システム４３２などの中間通信システム４３０を介して直接的および／または間接的に従来の無線方法で通信を行うことができる。要望に応じて、遠隔コンテンツソース４１０は、他の陸上のコンテンツソース（図示せず）と通信するように構成することができる。遠隔コンテンツソース４１０は、インターネット４２０へのアクセスを提供するものとして図９Ｂに示される。説明のために衛星通信システム４３２を備えるように図示し記載したが、通信システム４３０は、移動体通信システム（図示せず）および／または航空機地上情報システム（ＡＧＩＳ）通信システム（図示せず）などの任意の従来の種類の無線通信システムを含むことができると理解される。
【００５４】
車両情報システム６００は同様に、要望に応じて、車両情報システム６００用の総合システム制御機能を提供する少なくとも１つの従来のメディアサーバシステム６１０、および／または予めプログラムされたコンテンツおよび／または受信した視聴コンテンツを記憶するための少なくとも１つのメディア（またはファイル）サーバシステムを含むことができる。メディアサーバシステム６１０は、１つ以上の従来の周辺メディア記憶システム（図示せず）を含むことができ、および／または該システムと通信することができる。代表的な周辺メディア記憶システムは、予めプログラムされたコンテンツおよび／または受信した視聴コンテンツを記憶するために、任意の適切な種類の、デジタルビデオディスク（ＤＶＤ）システムおよび／またはコンパクトディスク（ＣＤ）システムなどの光学メディアデバイス、および／またはビデオカセットレコーダ（ＶＣＲ）システムおよび／またはハードディスクドライブ（ＨＤＤ）システムなどの磁気メディアシステムを含むことができる。
【００５５】
１つ以上のユーザ（または乗客）インタフェースシステム５６０は、予めプログラムされたコンテンツおよび／または受信した視聴コンテンツを選択し、選択された予めプログラムされたコンテンツおよび／または視聴コンテンツを表示するために提供される。図６〜８を参照して上述されるように提供される乗客インタフェースシステム５６０は、視聴コンテンツ変換システム１００および／または視聴コンテンツ表示システム５００と関連付けることができ、図１０ＡおよびＢに示されるように、映像表示システム５２０および／または音声表示システム５３０を含むことができる。中央制御装置を有するオーバーヘッド客室ディスプレイシステム５２２、個々の制御装置を有するシートバックディスプレイシステム５２４、乗務員ディスプレイパネル、および／または携帯表示システム５２６のディスプレイシステム５２６Ａが、代表的な映像表示システム５２０である。図示される音声表示システム５３０は、オーバーヘッド機内音声システム５３２、少なくとも１つの乗客席７４０内に配置される音声システム５３４、携帯表示システム５２６の音声システム５２６Ｂ、および／またはヘッドフォン（図示せず）を介して提供することができる。要望に応じて、１つ以上の携帯用表示システム５２６は、上記相互係属米国特許出願である、２００５年６月１６日に提出された出願番号第１１／１５４、７４９号の「旅行中に視聴コンテンツを表示するための携帯メディアデバイスおよび方法」に記載されるような携帯メディアデバイスとして提供することができる。
【００５６】
視聴コンテンツ表示システム５００が乗客席７４０に隣接して提供されるとき、乗客席７４０は、入力システム５５０と関連付けることができる。入力システム５５０は、予めプログラムされたコンテンツおよび／または受信した視聴コンテンツの選択および選択された予めプログラムされたコンテンツおよび／または視聴コンテンツの表示に対する乗客の制御を提供する。図１０Ｂに示されるように、入力システム５５０は、乗客席７４０のアームレスト７４４２上に提供することができる。コンテンツを記憶および／または解読するための処理システム５４２（図８に示される）および／または記憶システム（図８に示される）は同様に、乗客席７４０に隣接して配置することができる。それにより、車両７００で旅行する乗客は旅行中に、予めプログラムされたコンテンツおよび／または受信した視聴コンテンツを楽しむことができる。
【００５７】
車両情報システム６００のアンテナシステム６２０とトランシーバシステム６３０は、配信システム６４０を介して、メディアサーバシステム６１０および乗客インタフェースシステム５６０と通信するように図９Ｂに示される。配信システム６４０は従来の方法で提供することができ、上記相互係属米国特許出願である、２００４年２月４日に提出された出願番号第１０／７７２、５６５号の「ファイルをダウンロードするためのシステムおよび方法」と、２００５年６月１５日に提出された出願番号第１１／１５４、７４９号の「旅行中に視聴コンテンツを表示するための携帯メディアデバイスおよび方法」と、２００５年５月６日に提出された出願番号第１１／１２３、３２７号の「携帯プラットフォーム上でコンテンツを管理するためのシステムおよび方法」と、および２００５年１１月７日に提出された出願番号第１１／２６９、３７８号の「海外旅行中に携帯プラットフォーム上で放送コンテンツを受信するためのシステムおよび方法」とに記載されるような、有線通信および／または無線通信を含む任意の従来の種類の通信をサポートするように構成される。
【００５８】
好ましくは高速データ通信を介して配信される、予めプログラムされたコンテンツおよび／または受信した視聴コンテンツは、適切な方法で車両情報システム６００全体に配信することができる。車両情報システム６００は変換視聴コンテンツ３００の暗号化フォーマットを保持することができるため、車両情報システム６００の配信システム６４０は好ましくは、解読をサポートするように構成される。たとえば、配信システム６４０は、少なくとも１つのタッピングユニット（ＴＵ）、任意の高機能シート電子ボックス（ＥＳＥＢｓ）および／または任意の高度シート電子ボックス（ＰＳＥＢｓ）などの少なくとも１つのシート電子ボックス（ＳＥＢ）、および／または少なくとも１つの音声および／または映像表示システムを含むことができ、それぞれがたとえば、生放送伝送ストリームおよび／または音声映像オンデマンド（ＡＶＯＤ）伝送ストリームの解読をサポートする。
【００５９】
予めプログラムされたコンテンツおよび／または受信した視聴コンテンツを配信する代表的な方法は、本願の譲受人に譲渡されており、その開示が参照によりここに全文が組み込まれる、相互係属米国特許出願である、２００６年３月２９日に提出された出願番号第１１／２７７、８９６号の「データ配信ネットワークを介して通信シグナルをルーティングするためのシステムおよび方法」に記載されるような方法を含むことができる。米国特許番号第５、５９６、６４７号、５、６１７、３３１号、および５、９５３、４２９号の「商用航空機およびその他の乗物上で使用するための総合音声映像信号配信システムおよび方法」は、その開示が参照によりここに全文が組み込まれ、同様に、予めプログラムされたコンテンツおよび／または受信した視聴コンテンツを配信するための代表的な方法を開示する。
【００６０】
図１０Ｂを参照すると、配信システム６４０は、携帯表示システム５２６と無線で通信するための１つ以上のアクセスポイント６４２を含むことができる。各アクセスポイント６４２は従来の方法で、好ましくは、上記相互係属米国特許出願である２００５年６月１５日に提出された出願番号第１１／１５４、７４９号の「旅行中に視聴コンテンツを表示するための携帯メディアデバイスおよび方法」に記載されるような方法で提供することができる。コンテンツ配信システム６４０のアクセスポイント６４２は、各乗客席７４０が少なくとも１つのアクセスポイント６４２のサービスエリア内に入るように、客室７５０全体に分布させることができる。客室７５０全体は好ましくは、１つ以上のアクセスポイント６４２のサービスエリア内にある。これにより、アクセスポイント６４２が無線アクセスポイントを備える場合、携帯表示システム５２６は、携帯表示システム５２６が客室７５０に持ち運ばれるとき、コンテンツソース４００との通信を維持することができる。幾分違った風に説明すると、乗客ケーブル５７０は、ワイファイ（Ｗｉ−Ｆｉ）ホットスポットおよび／またはブルートゥースホットスポットなどの無線ホットスポットを備えることができる。
【００６１】
図９Ｂに戻ると、コンテンツソース４００は動作中、先に詳述したように、変換視聴コンテンツ３００を生成することができる。変換視聴コンテンツ３００は、コンテンツソース４００によって記憶することができる、および／または暗号化伝送ストリームペイロード３８０（図４ＢおよびＣに示される）を有する伝送ストリーム３７０として提供することができる。コンテンツソース４００は従来の方法で、車両情報システム６００に変換視聴コンテンツ３００を提供することができる。たとえば、コンテンツソース４００は、出発前に車両情報システム６００に変換視聴コンテンツ３００をアップロードすることができる、および／または、図９Ｂに示されるように、旅行中に車両情報システム６００に変換視聴コンテンツ３００を送信することができる。コンテンツソース４００は同様に、伝送ストリーム３７０として車両情報システム６００に変換視聴コンテンツ３００をストリーミングすることができる。それにより、変換視聴コンテンツ３００は、無許可の使用、複製、および／または配布から少なくとも部分的に保護することができる、および／または、たとえ傍受される、あるいはその他の方法で盗まれるとしても、変換視聴コンテンツ３００は容易に使用可能とならない。
【００６２】
変換視聴コンテンツ３００を受信している、車両情報システム６００は、変換視聴コンテンツ３００を乗客席７４０（図１０ＡおよびＢに示される）に隣接する１つ以上の視聴コンテンツ表示システム５００に配信することができる。車両情報システム６００は、受信後にリアルタイムで変換視聴コンテンツ３００を配信することができる、および／または後で配信するためにメディアサーバシステム６１０に変換視聴コンテンツ３００を記憶することができる。視聴コンテンツ表示システム５００は、変換視聴コンテンツ３００を受信することができる。視聴コンテンツ表示システム５００は同様に、その後の表示のために変換視聴コンテンツ３００を記憶することができる、および／または図８を参照して詳述したように、映像表示システム５２０および／または音声表示システム５３０を介してリアルタイムで表示のために変換視聴コンテンツ３００を再変換することができる。
【００６３】
車両情報システム６００は、従来の方法で、変換視聴コンテンツ３００を視聴コンテンツ表示システム５００に提供することができる。変換視聴コンテンツ３００は好ましくは、視聴コンテンツ表示システム５００にストリーミングされる。視聴コンテンツ表示システム５００は、伝送ストリーム３７０の暗号化伝送ストリームペイロード３８０（図４ＢおよびＣに示される）を実行中に（および／またはリアルタイムで）解読することができる。これにより、伝送ストリーム３７０は、乗客席７４０に隣接する、および／または映像表示システム５２０および／または音声表示システム５３０の近傍のエレメンタリ映像ストリーム３７２Ｖおよび／またはエレメンタリ音声ストリーム３７２Ａに解読することができる。
【００６４】
変換視聴コンテンツ３００は好ましくは、上述したように車両情報システム６００に提供されるが、コンテンツソース４００は同様に、視聴コンテンツ２００を車両情報システム６００に提供することができる。それにより、車両情報システム６００は、先に詳述されたように受信した視聴コンテンツ２００を変換視聴コンテンツ３００に変換するために、視聴コンテンツ変換システム１００（図１に示される）を含むことができる。視聴コンテンツ変換システム１００は任意の従来の方法で含まれる。たとえば、視聴コンテンツ変換システム１００は、メディアサーバシステム６１０と関連付けられる、ユーザインタフェース５６０と関連付けられる、および／または実質的に別個のシステムとして提供されることができる。多少異なる言い方をすると、車両情報システム６００は、図７を参照して上述したように、視聴コンテンツ変換システム１００に組み込むように含まれる１つ以上の視聴コンテンツ表示システム５００を有することができる。それにより、変換視聴コンテンツ３００が後の配信のために記憶でき、および／または表示のために視聴コンテンツ表示システム５００に提供できるように、視聴コンテンツ２００は、車両７００上で変換視聴コンテンツ３００に変換され得る。
【００６５】
各映像アクセスユニットは、伝送ストリームペイロード３８０の開始で始まるように構成することができる。新型テレビジョンシステム委員会（ＡＴＳＣ）規格番号Ａ／５３に記載され、国際標準化機構（ＩＳＯ）の２．１．１条および国際電気標準会議（ＩＥＣ）規格１３８１８−１に定義されるように、各パケット化エレメンタリストリーム（ＰＥＳ）フレーム３４０（図４ＢおよびＣに示される）は、パケット化エレメンタリストリーム（ＰＥＳ）フレーム３８２（図４ＢおよびＣに示される）と１列に並ぶ映像アクセスユニットで開始することができる。好ましくは、伝送ストリームペイロード３８０の最初のバイトは、関連付けられた映像アクセスユニットの最初のバイトである。
【００６６】
したがって、視聴コンテンツ変換システム１００および／または視聴コンテンツ表示システム５００は好都合なことに、伝送ストリーム３７０のペイロード３８０などの部分のみを暗号化することによって、現在利用可能な従来のファイルベースの暗号システムに関連する、特定の暗号化ブロックサイズの制限や暗号化視聴コンテンツの表示障害などの問題を回避する。すべての許可視聴コンテンツおよび他のデータは通常、暗号化フォーマットで提供されるため、静止状態にあるとき（たとえば、記憶システムに記憶されている）および／または車両情報システムへの配信および該システム内での配信中に、暗号化フォーマットのままで保持することができる。したがって、伝送ストリームヘッダ情報３５０は未暗号化のままで保持できるため、車両情報システム６００への配信前に視聴コンテンツを解読する必要なく、Ｉ−フレーム３４０ＩＩ（図３Ｂに示される）を索引付けする、あるいは抽出することができる。ストリーミング前のＩ−フレーム３４０ＩＩの索引付けまたは抽出は、利用可能な帯域（たとえば、映像ストリーム毎に５Ｍｂｐｓ）を鑑みて、早送り動作および／または巻戻し動作などのデジタルビデオディスク（ＤＶＤ）の機能を簡易化するように適用することができる。
【００６７】
それにより、視聴コンテンツ変換システム１００および／または視聴コンテンツ表示システム５００の使用によって、データの安全性を高め、車両情報システム６００へのデータ転送を含むステップを簡易化し、および／または早送り動作および／または巻戻し動作などの選択された機能が実行される際に所定の帯域負荷許容誤差を保持することができる。さらに、伝送ストリーム３７０の伝送ストリームペイロード３８０の暗号化が標準の実施として採用される場合、車両情報６００の送信前に視聴コンテンツなどのデータを解読し再暗号化する必要性を回避することができる。したがって、可能な節減としては、視聴コンテンツ変換システム１００によって処理される視聴コンテンツの量を掛けるストリーム視聴コンテンツの各短い時間毎に、相当量の時間が節減される。
【００６８】
本発明は、様々な修正や代替の形式を採用することができ、その具体例が一例として図示されており、本明細書で詳細に説明されている。しかしながら、本発明は開示される特定の形式または方法に限定されるのではなく、逆に、すべての修正、等価物、代替物を対象とするものと理解すべきである。
【図面の簡単な説明】
【００６９】
【図１】図１は、入ってくる視聴コンテンツの所定部分を、不正アクセスから保護する保護コンテンツに変換する視聴コンテンツ変換システムの実施形態を示す最上位のブロック図である。
【図２】図２は、視聴コンテンツがコンテンツフレームの代表的なシーケンスとして提供されており、図１の視聴コンテンツの実施形態を示す詳細図である。
【図３Ａ】図３Ａは、視聴コンテンツがコンテンツフレームの代表的なシーケンスとして提供されており、図１の変換された視聴コンテンツの実施形態を示す詳細図である。
【図３Ｂ】図３Ｂは、変換視聴コンテンツが複数のＭｏｖｉｎｇ  Ｐｉｃｔｕｒｅ  Ｅｘｐｅｒｔｓ  Ｇｒｏｕｐ（ＭＰＥＧ）コンテンツフレームを有する代表的な伝送ストリームを含むものであり、図３Ａの変換視聴コンテンツの別の実施形態を示す詳細図である。
【図４Ａ】図４Ａは、コンテンツフレームがフレームヘッダとフレームペイロードを備えており、図３ＡおよびＢの変換視聴コンテンツの代表的なコンテンツフレームの実施形態を示す詳細図である。
【図４Ｂ】図４Ｂは、フレームペイロードが保護コンテンツを備えており、図４Ａの代表的なコンテンツフレームの別の実施形態を示す詳細図である。
【図４Ｃ】図４Ｃは、コンテンツフレームがさらに適合フィールドを備えており、図４Ａの代表的なコンテンツフレームの別の実施形態を示す詳細図である。
【図５】図５は、視聴コンテンツ変換システムが従来のサーバシステム（またはワークステーション）として提供されている、図１の視聴コンテンツ変換システムの代表的な実施形態を示す詳細図である。
【図６】図６は、図１の視聴コンテンツ変換システムによって提供される保護コンテンツを表示するためのコンテンツ表示システムの実施形態を示す代表的な最上位のブロック図である。
【図７】図７は、図１の視聴コンテンツ変換システムがコンテンツ表示システムに組み込まれている、図６のコンテンツ表示システムの別の実施形態を示す代表的な最上位のブロック図である。
【図８】図８は、視聴コンテンツ変換システムが処理システムおよび記憶システムを含む、図６のコンテンツ表示システムの代表的な実施形態を示す詳細図である。
【図９Ａ】図９Ａは、複数のコンテンツ表示システムが自動車内に設置される車両情報システムに組み込まれている、図６のコンテンツ表示システムの別の実施形態を示す詳細図である。
【図９Ｂ】図９Ｂは、車両情報システムが航空機内に設置されている、図９Ａの車両情報システムの別の実施形態を示す詳細図である。
【図１０Ａ】図１０Ａは、複数のコンテンツ表示システムが複数の乗客席に関連付けられる、図９Ａおよび図９Ｂの旅客車両の代表的な客室を示す詳細図である。
【図１０Ｂ】図１０Ｂは、複数のコンテンツ表示システムが複数の携帯メディアデバイスに関連付けられる、図１０Ａの代表的な客室の別の実施形態を示す詳細図である。
【図１】
0005606676.tif 000002
【図２】
0005606676.tif 000003
【図３Ａ】
0005606676.tif 000004
【図３Ｂ】
0005606676.tif 000005
【図４Ａ】
0005606676.tif 000006
【図４Ｂ】
0005606676.tif 000007
【図４Ｃ】
0005606676.tif 000008
【図５】
0005606676.tif 000009
【図６】
0005606676.tif 000010
【図７】
0005606676.tif 000011
【図８】
0005606676.tif 000012
【図９Ａ】
0005606676.tif 000013
【図９Ｂ】
0005606676.tif 000014
【図１０Ａ】
0005606676.tif 000015
【図１０Ｂ】
0005606676.tif 000016